(57)【要約】【課題】上下に配置された上側板部及び下側板部によりトイレ前側が構成されている場合に、上側板部の下面奥側に尿が入り込みにくくすることができるポータブルトイレを提供すること。【解決手段】ポータブルトイレ１０は、便受部と、便座３０と、便受部の少なくとも一部を前方から隠すように便受部の前方に配置された遮蔽板部としての前板部２４と、を備える。前板部２４は、上下に配置された上側板部８１及び下側板部８２を有し、上側板部８１の前面が下側板部８２の前面よりも前方に位置するように上側板部８１及び下側板部８２が配置されている。上側板部８１の下面のうち少なくとも下側板部８２の前面８７よりも前方位置に、上側板部８１の前面８６を伝って流下する水分を下側板部８２の前面よりも前方において滴下させる水切り部が設けられている。【選択図】図９
2019004935.tif 000002
【特許請求の範囲】
【請求項１】
排泄物を受けることが可能な便受部と、
前記便受部の上方に配置可能な便座と、
前記便受部の少なくとも一部を前方から隠すように前記便受部の前方に配置された遮蔽板部と、
を備えるポータブルトイレであって、
前記遮蔽板部は、上下に配置された上側板部及び下側板部を有し、
前記上側板部の前面が前記下側板部の前面よりも前方に位置するように前記上側板部及び前記下側板部が配置されており、
前記上側板部の下面のうち少なくとも前記下側板部の前面よりも前方位置に、前記上側板部の前面を伝って流下する水分を前記下側板部の前面よりも前方において滴下させる水切り部が設けられている、ポータブルトイレ。
【請求項２】
前記下側板部の前面のうち少なくとも上部が前記上側板部の後面よりも前方に位置するように前記上側板部及び前記下側板部が配置されている、請求項１に記載のポータブルトイレ。
【請求項３】
前記水切り部は、前記上側板部の下面において前記下側板部の前面よりも前方に形成され、かつ左右方向へ延びる溝部である、請求項１又は２に記載のポータブルトイレ。
【請求項４】
前記水切り部は、前記上側板部の下面において前記下側板部の前面よりも前方に形成され、かつ左右方向へ延びる垂下り壁部である、請求項１〜３のいずれか一項に記載のポータブルトイレ。
【請求項５】
前記上側板部の下面において少なくとも前記下側板部の前面よりも前方に、下部に対し上部が後方へ傾斜する傾斜部が設けられており、
前記傾斜部によって前記水切り部が形成されている、請求項１〜４のいずれか一項に記載のポータブルトイレ。
【請求項６】
前記上側板部及び前記下側板部は、前面が前方へ凸となる湾曲面とされており、
前記湾曲面は、左右方向の中央から左右両側へ向かうにつれて後方に位置する、請求項１〜５のいずれか一項に記載のポータブルトイレ。
【発明の詳細な説明】
【技術分野】
【０００１】
本発明は、ポータブルトイレに関する。
【背景技術】
【０００２】
従来、ポータブルトイレは、排泄物を受ける容器である汚物受けを備え、トイレ本体の内部において便座の下方に汚物受けが配置されて使用される。この場合、トイレ本体によって汚物受けが外部から視認しにくく、トイレの外観が良好となり室内でも使いやすい。特許文献１に記載のポータブルトイレは、略箱状の便器外殻の内部に汚物受けが配置されている。便器外殻の前面は、左右両側の側板の間に架け渡された前板と、前板の上方に配置され汚物受けを支持する天板とにより構成されている。前板は、下部が上部に対し後方に傾斜している。
【先行技術文献】
【特許文献】
【０００３】
【特許文献１】特許第５９８４６０４号公報
【発明の概要】
【発明が解決しようとする課題】
【０００４】
トイレ本体の前面が、上下に配置された上側板部及び下側板部により構成され、これらのうち上側板部よりも下側板部の方が奥まった位置にあることにより、使用者が立ち上がる際に足を後方に接地させやすく、立ち上がりやすくなる。その一方で、トイレ使用中に尿が飛び散ってトイレ本体の前面に沿って流下した尿や、使用者が立ち上がる際にトイレ本体の前面に滴下されて流下した尿が上側板部の下面奥側に入り込むおそれがある。上側板部の下面奥側に入り込んだ尿は拭き掃除によっては除去しにくく、除去しきれなかった尿の臭いによって快適性が損なわれてしまう。また、清潔感に欠けてしまうことも懸念される。
【０００５】
本発明は上記課題に鑑みなされたものであり、上下に配置された上側板部及び下側板部によりトイレ前側が構成されている場合に、上側板部の下面奥側に尿が入り込みにくくすることができるポータブルトイレを提供することを一つの目的とする。
【課題を解決するための手段】
【０００６】
上記課題を解決すべく、第１の構成のポータブルトイレは、排泄物を受けることが可能な便受部と、前記便受部の上方に配置可能な便座と、前記便受部の少なくとも一部を前方から隠すように前記便受部の前方に配置された遮蔽板部と、を備えるポータブルトイレであって、前記遮蔽板部は、上下に配置された上側板部及び下側板部を有し、前記上側板部の前面が前記下側板部の前面よりも前方に位置するように前記上側板部及び前記下側板部が配置されており、前記上側板部の下面のうち少なくとも前記下側板部の前面よりも前方位置に、前記上側板部の前面を伝って流下する水分を前記下側板部の前面よりも前方において滴下させる水切り部が設けられていることを特徴とする。
【０００７】
上記構成においては、上下に配置された上側板部及び下側板部を有する遮蔽板部において、上側板部の下面のうち少なくとも下側板部の前面よりも前方位置に、上側板部の前面を伝って流下する水分（主には尿）を、下側板部の前面よりも前方において滴下させる水切り部を設けた。このため、上側板部の前面を伝って上側板部の下端部まで至った水分を水切り部の位置で床面に滴下させることができ、上側板部の下面奥側に尿が入り込みにくくすることができる。
【０００８】
第２の構成は、上記第１の構成において、前記下側板部の前面のうち少なくとも上部が前記上側板部の後面よりも前方に位置するように前記上側板部及び前記下側板部が配置されていることを特徴とする。
【０００９】
下側板部の前面が上側板部の後面よりも前方に位置するように上側板部と下側板部とを配置することにより、上側板部と下側板部との間から内部を視認できないようにすることができる。また、前後方向の凹凸が小さいなだらかな形状の前面とすることができ、良好な外観とすることができる。その一方で、上側板部と下側板部とが上下で重なる重なり部分が形成されるため、上側板部と下側板部との隙間が狭い場合には、毛細管現象によりその隙間に尿が入り込みやすくなる。また、上側板部と下側板部とが上下で重なっている場合、その隙間に入り込んだ尿を、拭き掃除によって手軽に除去することがさらに困難になる。この点、本構成においては、上側板部の下面には水切り部が設けられているため、上側板部と下側板部とが上下に重なっている場合にも、下側板部の上面の前側へ尿が入り込みにくい。また、下側板部の上面に尿が付着しにくくすることができる。
【００１０】
第３の構成は、上記第１又は第２の構成において、前記水切り部は、前記上側板部の下面において前記下側板部の前面よりも前方に形成され、かつ左右方向へ延びる溝部であることを特徴とする。水切り部を溝部とすることにより、溝部の位置で水分を滴下させることができる。また、下側板部の前面よりも前側に溝部が形成されているため、溝部の拭き掃除がしやすく、清潔な状態を保つことができる。
【００１１】
第４の構成は、上記第１〜第３の構成において、前記水切り部は、前記上側板部の下面において前記下側板部の前面よりも前方に形成され、かつ左右方向へ延びる垂下り壁部であることを特徴とする。この構成によれば、垂下り壁部の壁面によって、上側板部の前面を伝って流下した水分がそれ以上奥側に入り込まないようにすることができる。
【００１２】
第５の構成は、上記第１〜第４の構成において、前記上側板部の下面において少なくとも前記下側板部の前面よりも前方に、下部に対し上部が後方へ傾斜する傾斜部が設けられており、前記傾斜部によって前記水切り部が形成されていることを特徴とする。この構成によれば、上側板部の前面を伝って上側板部の下端部まで至った尿が下面に回り込んで奥側へ浸入することを抑制でき、水分の自重によりそのまま床面に滴下させることができる。また、上側板部の下面が傾斜面であるため、水分が付着した場合に上側板部の下面の拭き掃除がしやすく、手入れしやすい。また、正面視して上側板部と下側板部とが上下に重なるように配置することが可能であり、便受部を外部からより見えにくくすることができる。
【００１３】
第６の構成は、上記第１〜第５の構成において、前記上側板部及び前記下側板部は、前面が前方へ凸となる湾曲面とされており、前記湾曲面は、左右方向の中央から左右両側へ向かうにつれて後方に位置することを特徴とする。
【００１４】
遮蔽板部の前面を上側板部よりも下側板部の方が奥まった位置にするとともに、上側板部及び下側板部の前面を前方へ凸となる湾曲面とし、当該湾曲面が、左右方向の中央から左右両側へ向かうにつれて後方に位置するようにすることにより、使用者が立ち上がる際に足を後方に接地させるためのスペースを左右両側に広く確保することができる。その一方で、こうした複雑な構造を一枚の板材で実現することは困難である。そこで、複数の板材（上側板部及び下側板部）を上下に配置することが考えられる。しかしながら、複数の板材を上下に配置することによって遮蔽板部において上記のような複雑な構造を形成した場合、上述したように上側板部の下面奥側に尿が入り込むおそれがある。この点、上記構成では、下側板部の前面よりも前方に水切り部を設けたため、下側板部の前面を奥まった位置に配置するとともに上側板部及び下側板部の前面を湾曲面とすることにより使用者の足の接地スペースを確保した場合にも、上側板部の下面奥側への水分の浸入を抑制することができる。
【図面の簡単な説明】
【００１５】
【図１】自動ラップ仕様のポータブルトイレにおいて座部を上げた状態を示す斜視図。
【図２】自動ラップ仕様のポータブルトイレにおいて便座を上げた状態を示す斜視図。
【図３】自動ラップ仕様のポータブルトイレにおいて便座を上げ、インサイドカバーを取り外した状態を示す斜視図。
【図４】ポータブルトイレの左側面図。
【図５】自動ラップ仕様のポータブルトイレの展開斜視図。
【図６】インサイドカバーの平面図。
【図７】インサイドカバーのＡ−Ａ線断面図。
【図８】自動ラップ仕様のポータブルトイレを拡大した縦断面図。
【図９】自動ラップ仕様のポータブルトイレの前部を拡大した縦断面図。
【図１０】ポータブルトイレの前部を左斜め下方から見た斜視図。
【図１１】ポータブルトイレの前板部を拡大した縦断面図。
【図１２】バケツ仕様のポータブルトイレにおいて便座を上げた状態を示す斜視図。
【図１３】バケツ仕様のポータブルトイレにおいて便座を上げ、バケツを取り外した状態を示す斜視図。
【図１４】バケツ仕様のポータブルトイレの展開斜視図。
【図１５】スペーサの平面図。
【図１６】スペーサのＣ−Ｃ線断面図。
【図１７】スペーサの下面図。
【図１８】便座を上げた状態のバケツ仕様のポータブルトイレにおいて、上下方向の中間部を拡大した縦断面図。
【図１９】バケツ仕様のポータブルトイレの前部を拡大した縦断面図。
【図２０】水切り構造の変形例を示す縦断面図。
【発明を実施するための形態】
【００１６】
以下、本実施形態のポータブルトイレについて図面を参照しつつ説明する。なお、以下の説明では便宜上、便座に腰掛けた使用者から見た方向を基準にして前後、左右及び上下を示している。図中に示すＦ，Ｂ，Ｒ，Ｌは、それぞれ、ポータブルトイレの前方、後方、右側、左側を表す。本実施形態のポータブルトイレは、例えば介護用であり、ベッド脇等の室内に置かれて用いられる。なお、このポータブルトイレは、介護用トイレや簡易トイレ等とも称される。
【００１７】
ポータブルトイレ１０は、上方に開口されたトイレ本体２０と、トイレ本体２０の開口部２１の上方に配置される便座３０と、便座３０の下方に配置され排泄物を受ける便受部と、を備える。ポータブルトイレ１０は、排泄物を密封する密封装置４０が便受部としてトイレ本体２０に設置され密封装置４０によって排泄物を受ける自動ラップ仕様と、便受部としてバケツ１１０がトイレ本体２０に設置されバケツ１１０によって排泄物を受けるバケツ仕様と、の間で変更可能になっている。これにより、ポータブルトイレ１０は、便受部を、機能が異なる複数種類の中から使用者のニーズに合わせて適宜交換して使用可能である。まずは、自動ラップ仕様のポータブルトイレ１０の構成について説明する。
【００１８】
≪自動ラップ仕様について≫
＜トイレ本体２０＞
トイレ本体２０は、本体フレーム２２を備えている。本体フレーム２２は木製の枠体であり、図１及び図５に示すように、前板部２４、後板部２５、左板部２６及び右板部２７を備える平面視四角形の木枠である。左板部２６及び右板部２７は、前後方向に延びる長尺板材からなり、互いの板面を向き合わせた状態で左右に離間して配置されている。前板部２４及び後板部２５は、左右方向に延びる長尺板材からなり、左板部２６及び右板部２７の前方位置又は後方位置において左板部２６と右板部２７との間に架け渡されている。前板部２４及び後板部２５は、互いの板面を向き合わせた状態で前後に離間して配置されている。前板部２４、後板部２５、左板部２６及び右板部２７は、隣接する端部同士が例えば接着等により連結されており、その上端部に、上下方向に貫通する開口部２１が形成されている。
【００１９】
トイレ本体２０には、前板部２４、後板部２５、左板部２６及び右板部２７によって囲まれた空間により、便受部（ここでは密封装置４０）を収容可能な収容部２３が形成されている（図５参照）。収容部２３に密封装置４０が配置された状態において、前板部２４は、密封装置４０を前方から隠すように密封装置４０の前方に配置され、左板部２６及び右板部２７は、密封装置４０を左右方向から隠すように密封装置４０の左右それぞれに配置されている。
【００２０】
（密封装置４０）
密封装置４０は、図３及び図５に示すように、便座３０の下方に設けられ開口部４１を通過した排泄物を下方へ導くガイド部４２と、ガイド部４２の外周部に設けられ筒状のフィルムＦを収容するフィルム収容部４３と、ガイド部４２の下方に設けられ排泄物を筒状のフィルムＦの内部に収容して密封する処理部４４と、を備えている。なお、図３には、密封装置４０にフィルムＦが装着されていない状態を示している。
【００２１】
ガイド部４２は円筒状であり、下方へ縮径された形状を有している。ガイド部４２の上端部には、その外周部から外側へ延びるフランジ部４７が設けられている。フランジ部４７は、ガイド部４２の外周全域から外側へ突出しており、環状に形成されている。フランジ部４７の外端部には、上方へ延びる折り返し部４７ａが形成されている。ガイド部４２の上端の内周部によって、ガイド部４２を上下方向に貫通する開口部４１が形成されている。開口部４１の開口面積は、便座３０の開口部３０ａの開口面積よりも大きくなっている。
【００２２】
フィルム収容部４３には、筒状のフィルムＦが例えば蛇腹状に折り畳まれて収容されている。フィルム収容部４３に収容されたフィルムＦは、筒状のまま引き出し可能になっている。フィルム収容部４３から引き出されたフィルムＦは、ガイド部４２の上端部（すなわちフランジ部４７）を上方から覆い、さらにガイド部４２の内周面を覆うようにして処理部４４に導かれている。
【００２３】
処理部４４は電動式であり、フィルムＦをフィルム収容部４３から引き出して下方に導く送出機構と、筒状のフィルムＦを幅方向に熱溶着する熱溶着機構と、筒状のフィルムＦを幅方向に切断する切断機構と、を有している。フィルムＦは、例えばポリエチレン等からなる樹脂フィルムである。筒状のフィルムＦに対して熱溶着機構によりフィルム幅方向をシールすることにより、筒状のフィルムＦにおいて底が形成される。このようにして底が形成された筒状のフィルムＦの内部に、ガイド部４２から処理部４４に導かれた排泄物が収容されると、送出機構によって筒状のフィルムＦを下方に送り出し、熱溶着機構によって筒状のフィルムＦを排泄物の上方で幅方向にシールする。これにより、フィルムＦの長手方向において、排泄物を挟んで異なる２箇所においてフィルムＦがシールされ、排泄物が筒状のフィルムＦの内部に密封される。上流側のシール部分のさらに上流において、切断機構により筒状のフィルムＦをフィルム幅方向にカットすることにより、筒状のフィルムＦの内部に排泄物が収容されて密封された密封体が形成される。密封体は、処理部４４の下部に設けられた排出部４８から排出され、床面に載置されたトレイ４９で受けられる。処理部４４はこれらの一連の処理を自動で行う。
【００２４】
密封装置４０の外周部には、ガイド部４２と処理部４４との接続部分の外周から外側に延びる外板部４５が設けられている。外板部４５は、板面が上下に向けられており、より具体的には板面が水平方向に延びている。外板部４５は、本体フレーム２２の内周面に対応する形状及び大きさを有し、平面視して矩形状（より具体的には四角形状）となっている。外板部４５の前側の左角部及び右角部には、ネジを上下方向に挿通可能な貫通穴４６が形成されている。
【００２５】
本体フレーム２２の内周部には、密封装置４０の外板部４５を載置可能な載置板２８が設けられている。載置板２８は、本体フレーム２２の内周部の前側及び後側にそれぞれ配置されている。載置板２８は、左右方向に延びる長尺板状であり、左板部２６と右板部２７との間に架け渡された状態で前後にそれぞれ配置されている。載置板２８の板面は上下に向けられており、その板面が水平方向に延びている。前後の載置板２８のうち後側の載置板２８ａの上面には、密封装置４０の後端部（すなわち、外板部４５の後端部）を係止可能な係止部２９が設けられている。係止部２９は、上方へ立ち上がる立ち板部２９ａと、立ち板部２９ａの上端部から前方に向けて水平に延びる水平板部２９ｂと、を有している（図８参照）。水平板部２９ｂは、その下側の板面を載置板２８ａに向けた状態で立ち板部２９ａによって支持されている。水平板部２９ｂの下側板面、載置板２８ａの上側板面、及び立ち板部２９ａの前面によって囲まれた空間に、密封装置４０の外板部４５の後端部を前方から差し込んで引っ掛けることにより、係止部２９によって密封装置４０の後端部が係止される。
【００２６】
前側の載置板６９（図８参照）には、左右両側の角部に、密封装置４０の貫通穴４６に対応する位置に貫通穴を有するネジ止め部（図示略）がそれぞれ設けられている。載置板６９の上面に対して、密封装置４０の外板部４５の前端部を載置するとともに、本体フレーム２２及び密封装置４０の互いの貫通穴を上下方向に重ねてネジ止めすることにより、本体フレーム２２に対して密封装置４０の前端部が固定される。前後の載置板２８は、互いの上側板面が同じ高さになるように配置されている。このため、密封装置４０の前端部が載置板６９に載置されるとともに密封装置４０の後端部が載置板２８ａに載置された状態では、本体フレーム２２によって密封装置４０が水平に支持される。
【００２７】
密封装置４０を本体フレーム２２に取り付ける際には、まず、密封装置４０を収容部２３に挿入して外板部４５の後端部を係止部２９に前方から差し込み、外板部４５の後端部を係止部２９に係止させる。その後、密封装置４０の貫通穴４６を本体フレーム２２側の貫通穴と上下方向に重ね合わせてネジ止めする。これにより、本体フレーム２２によって密封装置４０が支持されるとともに、本体フレーム２２に対する密封装置４０の位置が位置決めされる。このように、収容部２３の前方位置ではネジ止めにより密封装置４０を固定し、後方位置では係止部２９に密封装置４０を引っ掛けて固定することにより、ネジ止めのみによって固定する場合に比べて密封装置４０の位置決めがしやすく、本体フレーム２２に対して密封装置４０を装着しやすくなっている。
【００２８】
＜受け板３１＞
本体フレーム２２には、本体フレーム２２の内側で尿を受ける受け板３１が取り付けられている（図３参照）。受け板３１は樹脂製の板状部材であり、外形が平面視で略四角形状となっている。受け板３１は、本体フレーム２２の開口上部を覆うように本体フレーム２２の上方に配設されている。受け板３１は「トレイ」とも称される。
【００２９】
受け板３１は、板状かつ環状に形成されたベース部３２を備えている。ベース部３２には、その内周部から上方へ延びる内側壁３４が形成されている。内側壁３４は、ベース部３２の内周全域から上方へ突出しており、環状に形成されている。内側壁３４の下端には、受け板３１を厚み方向に貫通する開口部３３が形成されている。開口部３３の開口面積は、便座３０の開口部３０ａよりも大きくなっている。図３に示すように、本体フレーム２２に受け板３１が取り付けられた状態では、ガイド部４２の上端部は開口部３３の上方へ突出しており、フランジ部４７が内側壁３４の上方を覆っている。これにより、ガイド部４２に入らず外側に飛び散った尿やガイド部４２から漏れ出た尿は受け板３１の上面で受けられる。本体フレーム２２の上部に受け板３１が取り付けられた後、密封装置４０の少なくとも下部（処理部４４及びフィルム収容部４３）が、開口部３３を通じて本体フレーム２２の内部に入れられる。このため、開口部３３の開口面積は、密封装置４０の下部を開口部３３の上方から下方に配置可能なように広く確保されている。
【００３０】
ベース部３２には、内側壁３４の外側であって受け板３１の外縁部の内側に、周方向に連続して立ち上がる外側壁３５が形成されている。外側壁３５の内壁面は、平面視してベース部３２の外縁部に沿った略四角形状である。具体的には、図３に示すように、外側壁３５は、左壁面３５ａ、右壁面３５ｂ、前壁面３５ｃ及び後壁面３５ｄを有している。右壁面３５ｂと後壁面３５ｄとは鉛直面３５ｅを介して直線的に繋がっており、左壁面３５ａと後壁面３５ｄとは、外側に凸となる湾曲面３５ｆを介して円弧状に繋がっている。前壁面３５ｃは、前方へ凸となる緩やかな弧状であり、左右方向の中央から左右両側へ向かうにつれて後方に位置している。前壁面３５ｃの左右両端部は、前壁面３５ｃよりも湾曲された弧状部分で、左壁面３５ａ及び右壁面３５ｂの前端部に繋がっている。
【００３１】
ベース部３２の上面には、内側壁３４と外側壁３５とによって挟まれた空間に環状の溝部３６が形成されている。溝部３６は上方に開放されている。この溝部３６の内部に、受け板３１の上側に漏れ出た尿を受けて溜めることが可能になっている。外側壁３５の上面３５ｇには便座３０の下面３０ｂが載置される。
【００３２】
ベース部３２の左右両側の外縁部には段差３７が設けられている。段差３７は、外側壁３５の上面３５ｇから更に上方に立ち上がる縁壁３７ａと、縁壁３７ａの上端部から外側に向けて延びる横板３７ｂと、を有している。縁壁３７ａは、左板部２６及び右板部２７の内板面よりも内側に配置されており、左板部２６及び右板部２７の上面よりも上方まで立ち上がっている。横板３７ｂは、左板部２６及び右板部２７の上面を上方から覆っている。このため、使用者が排泄した際に飛散した尿が、左板部２６及び右板部２７に付着しにくくなっている。
【００３３】
ベース部３２の前部には、下方に垂れる垂下部３８が設けられている。この垂下部３８が前板部２４の上端部を上方から覆うように受け板３１が本体フレーム２２に配設される。本実施形態では、図４に示すように、側面視して、受け板３１の前面３１ａが前板部２４の前面２４ａよりも前方に位置している。これにより、受け板３１の前面を流下した尿が前板部２４の前面２４ａに付着するのを抑制している。受け板３１が着脱可能であるため、前板部２４と受け板３１との間の隙間に尿が入り込んだ場合には、受け板３１を取り外すことによって簡単に拭き掃除することができる。
【００３４】
受け板３１の下面には、底面から下方に向かって突出するピン（図示略）が複数箇所に設けられている。各ピンが、本体フレーム２２の上面に形成されたピン穴２２ａ（図５参照）に挿入されることにより、受け板３１が本体フレーム２２に対して着脱可能に組み付けられる。受け板３１の後部には、便座３０のヒンジを取り付ける基部３９が設けられている。
【００３５】
＜便座３０＞
便座３０は、その開口部３０ａが受け板３１の開口部３３と上下に重なるように受け板３１の上方に配置される。便座３０は、後方位置に設けられたヒンジを介して受け板３１に取り付けられている。これにより、便座３０は、図１に示すように、受け板３１の上面に横向きに配置された状態と、図２に示すように、受け板３１の上方に縦向きに配置された状態との間で回動可能になっている。便座３０が横向きの状態では、便座３０の開口部３０ａの下方に、密封装置４０に装着された筒状のフィルムＦの上方が開口された状態でフィルムＦが配置されている（図１参照）。なお、便座３０の形状は、図１に示すようなＯ字状に限らず、Ｕ字状であってもよい。また、便座３０は本体フレーム２２に取り付けられていてもよい。
【００３６】
＜座部５５＞
トイレ本体２０には、便座３０の上方に重ねられて便座３０を覆う座部５５が設けられている。座部５５は、便座３０の上方に重ねられた状態で上面５６が座面として使用される。座部５５は、本体フレーム２２の後方位置で上方へ回動可能に支持されている。これにより、座部５５は、上面５６が前後方向に延びている横向きの状態と、上面５６が上下方向に延びている縦向きの状態との間で変更可能になっている。座部５５が縦向きの状態では、座部５５は、前後方向の中間位置で、上面５６を前後に向けた状態で折り畳み可能になっている（図１、図４参照）。座部５５を上方へ回動すると便座３０が露出し、トイレとしての使用状態となる。
【００３７】
＜脚体部５７＞
トイレ本体２０には、トイレ本体２０を支持する脚体部５７が設けられている。脚体部５７は、左右一対の前脚５８と、左右一対の後脚５９と、を有している。前脚５８は上下方向に延びる長尺板材からなり、互いの板面を向き合わせた状態で本体フレーム２２の前方位置に左右に離間して配置されている。また、後脚５９は上下方向に延びる長尺板材からなり、互いの板面を向き合わせた状態で本体フレーム２２の後方位置に左右に離間して配置されている。前脚５８及び後脚５９は、本体フレーム２２のうち左板部２６及び右板部２７のそれぞれの外側板面に着脱可能に取り付けられている。前脚５８及び後脚５９は、本体フレーム２２に対する取付位置を調整可能である。前脚５８及び後脚５９の本体フレーム２２に対する取付位置を調整することにより、床面に対するトイレ本体２０の高さを調整可能である。
【００３８】
図４に示すように、脚体部５７には、床面に対してポータブルトイレ１０を移動させるためのキャスタ６１が設けられている。キャスタ６１は、各後脚５９の下部において前後方向の外側に設けられている。後脚５９には、後脚５９の下端よりも上方であってトイレ本体２０の下方に、左右の後脚５９を連結する連結板６２が配設されている（図５参照）。連結板６２は、板面を前後方向に向けた状態で左右の後脚５９の間に架け渡されており、上からの荷重に対する安定性が十分に確保されている。
【００３９】
トイレ本体２０の後方位置には、着座した使用者の背中が当接される背もたれ部６３が設けられている。本実施形態では、本体フレーム２２の後部に、左板部２６及び右板部２７のそれぞれの上部から上方に延びる左右一対の支柱６４が設けられている。この一対の支柱６４の間に背もたれ部６３が架け渡されている。
【００４０】
トイレ本体２０の左右両側には、使用者の手や腕が載置される肘掛け部６５が設けられている。肘掛け部６５は、前後方向に延びる肘掛け本体６６と、肘掛け本体６６を支持する支持部６７と、を有している。支持部６７は長尺板材であり、本体フレーム２２のうち左板部２６及び右板部２７の外側板面に取り付けられている。支持部６７の上面は、肘掛け本体６６の下面に連結されている。これにより、支持部６７が肘掛け本体６６を下方から支持している。支持部６７は、本体フレーム２２に対する取付位置を調整可能であり、その取付位置を調整することによって肘掛け本体６６の高さを調整可能である。
【００４１】
＜インサイドカバー７０＞
密封装置４０と便座３０との間にはインサイドカバー７０が設けられている。ポータブルトイレ１０にインサイドカバー７０が配設されることにより、使用者が排泄した尿が密封装置４０側へ浸入するのを抑制している。インサイドカバー７０は、ポータブルトイレ１０に取り付けられる樹脂製の板状部材であり、軟質樹脂やゴム等の弾性材料により形成されている。インサイドカバー７０は、受け板３１とは別部材となっており、受け板３１に対して着脱可能に取り付けられる。なお、インサイドカバー７０に関する以下の説明では、特に説明がない場合、「前後」、「左右」及び「上下」は、ポータブルトイレ１０に取り付けられた状態のインサイドカバー７０の構成をいうものとする。
【００４２】
図６及び図７に示すように、インサイドカバー７０は、平板かつ環状に形成されたベース部７１を備えている。ベース部７１は、その板面が上下に向けられており、水平方向に延びる水平面を有している。ベース部７１には、その内周部から下方へ延びる垂下部７３が形成されている。垂下部７３は、ベース部７１の内周全域から下方へ突出しており、環状に形成されている。垂下部７３の下端（自由端）には、インサイドカバー７０を厚み方向（上下方向）に貫通する開口部７２が形成されている。ベース部７１が、密封装置４０の上方を覆う「覆い部」に相当する。開口部７２の開口面積は、便座３０の開口部３０ａよりも大きくなっている。
【００４３】
垂下部７３は、ベース部７１と一体成形されており、上部に対して下部が内側に傾斜している。具体的には、垂下部７３は、前側部分７４と後側部分７５とを有し、これらが前後方向に連続した面で繋がっている。開口部７２の周方向全体のうち、開口部７２の中心点Ｏよりも前側に前側部分７４が設けられており、中心点Ｏよりも後側に後側部分７５が設けられている。前側部分７４は、その上部において、内側に傾斜した傾斜面７４ａを有し、下端部に、下方へ凸となるように内側に曲げられた湾曲面７４ｂを有している。なお、垂下部７３は、開口部７２の内縁から少し離れた位置に設けられていてもよい。
【００４４】
後側部分７５は、上側傾斜面７５ａと下側傾斜面７５ｂとを有し、これらが弧状に繋がっている。上側傾斜面７５ａ及び下側傾斜面７５ｂは内側に傾斜している。上側傾斜面７５ａの鉛直方向に対する傾斜は下側傾斜面７５ｂよりも大きく、緩やかな傾斜となっている。一方、下側傾斜面７５ｂの鉛直方向に対する傾斜は、前側部分７４の傾斜面７４ａよりも大きいか又は略同じとなっている。垂下部７３の前側部分７４及び後側部分７５を全体でみると、前側部分７４は、後側部分７５よりも鉛直方向に対する傾斜が小さく、急な傾斜となっている。後側部分７５の下部には、下方へ凸となるように内側に曲げられた湾曲面７５ｃが設けられている。
【００４５】
ベース部７１の外縁部には、上方へ立ち上がる立ち壁７６が設けられている。立ち壁７６は、ベース部７１の外縁部の全域に亘って、周方向に連続して設けられている。立ち壁７６は、上方に起立する起立板部７６ａと、起立板部７６ａの上部から外側に延びる水平板部７６ｂと、を有している。起立板部７６ａは内側に傾斜しており、ベース部７１の上面で尿を受けやすくなっている（図７参照）。起立板部７６ａの鉛直方向に対する傾斜は、前側部分７４の傾斜と略同じである。こうした立ち壁７６により、ベース部７１の上面に尿がこぼれた場合にも、その尿がインサイドカバー７０の外側へ漏れ出てしまうことが抑制される。
【００４６】
水平板部７６ｂ（すなわち、インサイドカバー７０の外縁部）のうち少なくとも後部は、外側壁３５に対応する形状及び大きさを有している（図６参照）。具体的には、水平板部７６ｂにおいて後側の右角部７７は、鉛直面３５ｅに対応する直線状であり、後側の左角部７８は、湾曲面３５ｆに対応する円弧状となっている。これにより、水平板部７６ｂの後部及び外側壁３５の後部は全体として、受け板３１に対してインサイドカバー７０を所定位置に配置する位置決め部として機能する。また、インサイドカバー７０は、平面視して左右非対称の形状となっている。このため、インサイドカバー７０を表と裏を逆に設置した場合には、インサイドカバー７０は受け板３１に対して位置決めされず、表と裏を正しく設置した場合にインサイドカバー７０が受け板３１に対して位置決めされる。
【００４７】
水平板部７６ｂの下面は、インサイドカバー７０が受け板３１に設置された状態において、外側壁３５の上面３５ｇに当接される当接面である。水平板部７６ｂの下面が外側壁３５の上面３５ｇに当接されることにより、受け板３１によってインサイドカバー７０が支持される（図８参照）。
【００４８】
外側壁３５には、その上面３５ｇに、内側の端部から外側に凹んだ凹み部３５ｉが設けられている（図３参照）。また、立ち壁７６には、凹み部３５ｉに対応する位置に、凹み部３５ｉの内部に嵌め合い可能に外側に凹んだ凹み部７６ｃが設けられている（図２及び図６参照）。凹み部３５ｉ，７６ｃは、それぞれ左右両側に設けられており、前後方向にみて同じ位置に配置されている。インサイドカバー７０を受け板３１に設置する際には、凹み部３５ｉ，７６ｃが互いに嵌まるように上面３５ｇにインサイドカバー７０を載置する。これにより、インサイドカバー７０を取り付ける前後左右の位置が正しく位置決めされ、尿の浸入防止機能を発揮するために適切な位置にインサイドカバー７０を設置することができる。また、インサイドカバー７０が受け板３１に設置された状態では、凹み部３５ｉ，７６ｃが嵌り合った状態が保たれることにより、インサイドカバー７０の位置ずれが抑制される。
【００４９】
インサイドカバー７０の外縁部には、内側に向けて凹んだ切欠き部７９が設けられている。切欠き部７９は矩形状であり、左右両側の前側角部に形成されている。なお、切欠き部７９の形状は矩形状に限らず、例えば円弧状であってもよい。平面視したとき、切欠き部７９の外側は、溝部３６の上方に配置されている（図２参照）。これにより、切欠き部７９の周囲を指で持ち上げてインサイドカバー７０を容易に取り外すことができる。また、切欠き部７９の上方から覗き見ることにより、溝部３６を視認することができる。このため、溝部３６に溜まった尿の様子（例えば色など）を、インサイドカバー７０を取り付けたまま確認することができる。
【００５０】
＜インサイドカバー７０の作用＞
次に、インサイドカバー７０の作用について図８を参照しながら説明する。なお、図８には、図３において便座３０が下げられた状態のポータブルトイレ１０の縦断面図を示している。また、図８には、密封装置４０に装着された筒状のフィルムＦを二点鎖線で示している。
【００５１】
上述したように、ポータブルトイレ１０には、密封装置４０と便座３０との間にインサイドカバー７０が設けられている。インサイドカバー７０の垂下部７３は、少なくとも下側部分が、密封装置４０の開口部４１の内部、すなわち筒状のフィルムＦの開口部Ｐに入り込んでいる。また、垂下部７３において、開口部Ｐに入り込んでいる部分は、その少なくとも一部の下面が、ガイド部４２の上部（より具体的には、フランジ部４７の上面）に、フィルムＦを介して当接している。これにより、垂下部７３の少なくとも一部は、密封装置４０に装着された筒状のフィルムＦの内周面に接触している。本実施形態では、垂下部７３の下端部の下面（すなわち、湾曲面７４ｂ、７５ｃの下面）が筒状のフィルムＦの内周面に面接触している。
【００５２】
ここで、使用者から排泄される尿Ｗが前方に向かって飛散することがある。こうした尿Ｗは、密封装置４０の上端部よりも下方において垂下部７３とフィルムＦの内周面とが接触していることにより、その接触部分で、尿Ｗがそれ以上前方へ浸入することが抑制される。このようにして、上記の止水構造では、前方に飛散した尿Ｗを、筒状のフィルムＦの上部から外側に漏れ出ないようにすることができる。
【００５３】
また、インサイドカバー７０は弾性部材により形成されており、垂下部７３は弾性変形可能である。このため、垂下部７３の弾性力よって、密封装置４０に装着された筒状のフィルムＦの内周面に垂下部７３を密着させることができる。また、垂下部７３が弾性変形可能であるため、筒状のフィルムＦをガイド部４２の外側から内側へ向かってフィルム長手方向に送出させる際に、フィルムＦの動きを妨げにくい。図８中の矢印Ｄは、フィルムＦの送出方向を表す。これにより、フィルムＦの送り出しを妨げないようにしつつ、密封装置４０への尿の浸入を十分に抑制することができる。なお、垂下部７３が「入り込み部」に相当し、湾曲面７４ｂ、７５ｃが「面接触部」に相当する。
【００５４】
＜前板部２４の構成＞
次に、前板部２４の構成について詳しく説明する。前板部２４は、上下に配置された上側板部８１及び下側板部８２を有する。上側板部８１及び下側板部８２は、別部材により構成されている。
【００５５】
上側板部８１は、左右方向に延びる長尺状の壁板６８を有している。壁板６８は、板面が前後に向けられており、板面が鉛直方向に延びるようにして配置されている。上側板部８１の左右両端は、左板部２６及び右板部２７に対して連結板（図示略）を介してそれぞれ連結されている。具体的には、連結板は、上下方向に延びる長尺状であり、板面が左右方向に向けられている。連結板が有する一対の板面のうち外側の板面は、左板部２６及び右板部２７の内側板面に対して接着等されており、前端面は上側板部８１の裏面に対して接着等されている。これにより、左板部２６及び右板部２７によって上側板部８１が支持されている。
【００５６】
壁板６８の下端部には載置板６９が連結されている。本実施形態では、壁板６８と載置板６９とによって上側板部８１が形成されているとともに、載置板６９によって上側板部８１の下部が構成されている。載置板６９は、板面が上下に向けられて水平方向に延び、その前端面が壁板６８の前面と面一となるように位置決めされている。載置板６９の後部は、壁板６８の背面（つまり後面）よりも後方へ突出しており、その突出した部分の上面に密封装置４０の外板部４５の前側部分が載置されている。これにより、トイレ本体２０の内部において密封装置４０を支持しつつ、トイレ本体内部の前側に無駄なスペースが形成されるのを極力抑制して、ポータブルトイレ１０のコンパクト化を図っている。
【００５７】
壁板６８の下面及び載置板６９の上面には、互いに対向する位置に、左右方向に延びる凹溝９７、９８が形成されている。壁板６８の下面に形成された凹溝９７は下方に開放され、載置板６９の上面に形成された凹溝９８は上方に開放されている。凹溝９７、９８には、左右方向に延びる連結板８３の上端部及び下端部がそれぞれ嵌め込まれている。壁板６８及び載置板６９は、凹溝９７、９８に連結板８３がそれぞれ嵌め込まれた状態で接着等によって固定されている。また、連結板８３の上下寸法は、凹溝９７、９８の溝の深さの合計よりも短くなっており、凹溝９７の上面と連結板８３の上面との間に隙間９９が形成されている。これにより、製造誤差があっても壁板６８と載置板６９との間に隙間が生じないようにされている。また、壁板６８及び載置板６９は互いに接着されたり、壁板６８及び載置板６９の表面が例えばポリウレタン等によりコーティングされたりする等により、壁板６８と載置板６９との間に水分が入り込むことがないように施されている。
【００５８】
下側板部８２は、左右方向に延びる長尺状の壁板８２ａを有し、板面を前後方向に向けて配置されている。下側板部８２の左右両端は、左板部２６及び右板部２７に対して連結板９０（図１０参照）を介してそれぞれ連結されている。具体的には、連結板は、上下方向に延びる長尺状であり、板面が左右方向に向けられている。連結板が有する一対の板面のうち外側の板面は、左板部２６及び右板部２７の内側板面に対して接着等されており、前端面は下側板部８２の裏面に対して接着等されている。これにより、左板部２６及び右板部２７によって下側板部８２が支持されている。
【００５９】
上側板部８１及び下側板部８２は、上側板部８１よりも下側板部８２の方が、前後方向において奥まった位置に配置されており、上側板部８１の前面８６が下側板部８２の前面８７よりも前方に位置している。図９に示すように、下側板部８２の前面８７のうち少なくとも上端は、上側板部８１の後面８９よりも前方に位置するように上側板部８１及び下側板部８２が配置されている。
【００６０】
上側板部８１と下側板部８２とは前面の傾斜角度が異なっている。詳細には、上側板部８１は、壁板６８の板面が鉛直方向に延び、これに伴い前面８６が鉛直方向になっているのに対し、下側板部８２は、壁板８２ａの板面（つまり前面８７）が鉛直方向に対して後方に傾斜している。これにより、トイレ本体２０の内部のうち上側板部８１の後方には、受け板３１や密封装置４０を受けるために必要な十分なスペースが確保されている。一方、下側板部８２は、トイレ本体２０の内部との関係では密封装置４０等の前方を隠すことができればよく、下側板部８２の配置に自由度がある。このため、下側板部８２の板面を斜め後方に傾斜させることによって、下側板部８２の前方に広いスペースを確保している。
【００６１】
また、上側板部８１の前面８６及び下側板部８２の前面８７は、前方へ凸となる湾曲面となっており、左右方向の中央から左右両側へ向かうにつれて後方に位置している。このように、前板部２４においては、下側板部８２が後方に傾斜して下端部が奥まった位置にあるとともに、上側板部８１及び下側板部８２が前面に湾曲面を有することで、使用者が立ち上がる際に足を後方に接地させるためのスペースが左右両側に広く確保されている。また、複数の板材（上側板部８１及び下側板部８２）を上下に配置することによって前板部２４を形成することにより、上側板部８１及び下側板部８２をいずれも湾曲させ、かつ下側板部８２を後方に傾斜させる、といった複雑な構成を実現している。図１０に示すように、上側板部８１の下面８４及び下側板部８２の上面８５は、上側板部８１及び下側板部８２が略同じ曲率で前方へ凸となるように曲げられている。これにより、上側板部８１及び下側板部８２が一体的に見えて美観上好ましい。
【００６２】
上側板部８１の下面８４と下側板部８２の上面８５との間には、上側板部８１及び下側板部８２が上下で重なる重なり部分が形成されている。また、その重なり部分には隙間８８が形成されている。隙間８８は、人間の指が入らない程度に狭い隙間であり、例えば上下方向の幅が５ｍｍ以下である。この隙間８８は、前方からでも少し斜め方向から見れば隙間８８がないようにみえる程度に狭くなっている。このため、トイレ本体２０の内部が見えにくく、また上側板部８１と下側板部８２とが一体的に見える。本実施形態では、下側板部８２の後面９１の上端部は、載置板６９の後面９２よりも前方に位置しており、下側板部８２の上面８５の全体が上側板部８１の下面８４（つまり、載置板６９の下面）と上下で重なっている。
【００６３】
図９に示すように、上側板部８１の下面８４には、下方に開放された溝部９３が設けられている。溝部９３は、左右方向に延びており、下面８４の左右方向の全域に亘って、前面８６の湾曲形状に沿って設けられている（図１０参照）。溝部９３は、上底９４と、上底９４の前端から下方へ延びる前壁９５と、上底９４の後端から下方へ延びる後壁９６と、を有している。前壁９５及び後壁９６は、下面８４から鉛直方向に立ち上がっており、下面８４に対して直交している。
【００６４】
前壁９５及び後壁９６はいずれも、下側板部８２の前面８７よりも前方に位置している。これにより、溝部９３は、上側板部８１の下面８４のうち下側板部８２の前面８７よりも前方位置に形成されている。本実施形態では、上側板部８１及び下側板部８２において、上側板部８１の下面８４と下側板部８２の上面８５とが上下に重なっていない非重なり部分が形成されており、その非重なり部分に溝部９３が配設されている。溝部９３は、上側板部８１の前面８６と下側板部８２の前面８７との中間位置（例えば、前後方向の中央）に形成されている。そのため、ポータブルトイレ１０の外部から溝部９３が目立ちにくくなっている。
【００６５】
＜前板部２４の作用＞
次に、前板部２４で生じる尿の流れについて図１１を参照しながら説明する。トイレ使用中に飛び散った尿や、使用者が立ち上がる際に滴下された尿が上側板部８１の前面８６に沿って流下することがある。ここで、前板部２４のうち上側板部８１よりも下側板部８２が奥まった位置にあると（図９参照）、前面８６を伝って流下した尿が上側板部８１の下面８４の奥側に入り込みやすくなる。特に、上側板部８１の下面８４と下側板部８２の上面８５とが上下で重なっていると、下面８４と上面８５との間の隙間８８に尿が入り込み、上面８５にも尿が付着してしまう。また、その隙間８８が狭いと（例えば５ｍｍ以下の狭い隙間であると）、本体フレーム２２の内部が見えにくくなる反面、毛細管現象により隙間８８に尿が入り込みやすい。こうした狭い隙間８８には人間の指も入らず、また掃除道具を差し込むことも困難である。そのため、下面８４の奥側に入り込んだ尿や、下側板部８２の上面８５に付着した尿は拭き掃除によっては除去しにくい。一方、本体フレーム２２に尿を付着させたままにすると、尿の臭いによって快適性が損なわれ、清潔感にも欠けてしまう。また、本体フレーム２２が木製である場合には、本体フレーム２２が腐食するおそれもある。
【００６６】
本実施形態のポータブルトイレ１０においては、上側板部８１の前面８６に付着した尿Ｗは、図１１に示すように、前面８６を伝って流れ落ちて前面８６の下端から下面８４に回り込んだ後、溝部９３の前壁９５の位置で滴下される。すなわち、前面８６を伝って流下する尿Ｗは、溝部９３によって、下側板部８２の前面８７よりも前方で滴下される。このようにして、上記の前面構造では、上側板部８１の前面８６を伝って流下した尿Ｗを、上側板部８１と下側板部８２との間に入り込ませることなく床面に滴下させることができる。これにより、上側板部８１の下面８４の奥側に尿Ｗが入り込んだり、下側板部８２の上面８５に尿Ｗが付着したりすることを抑制することができる。なお、前板部２４が「遮蔽板部」に相当し、溝部９３が「水切り部」に相当する。
【００６７】
なお、上側板部８１と下側板部８２との間に、目視可能な隙間８８がなくてもよい。この場合でも、ミクロ的には上側板部８１と下側板部８２との間には極めて狭い隙間が存在するため、毛細管現象により上側板部８１と下側板部８２との間に水分が入り込む現象が生じ得る。上側板部８１と下側板部８２との間に目視可能な隙間８８がない場合には特に、上側板部８１及び下側板部８２を分解等しない限り、上側板部８１と下側板部８２との間に入り込んだ尿を除去することができない。この点、上側板部８１の下面８４に水切り部を設けることにより、尿の臭いによって快適性が損なわれたり清潔感に欠けたりすることを抑制することができる。
【００６８】
≪バケツ仕様について≫
次に、バケツ仕様のポータブルトイレ１０について、自動ラップ仕様との相違点を中心に説明する。バケツ仕様のポータブルトイレ１０は、図１２〜図１４に示すように、バケツ１１０及びスペーサ１２０を備え、密封装置４０及びインサイドカバー７０を備えていない点で自動ラップ仕様と相違する。一方、バケツ仕様において、トイレ本体２０、受け板３１及び便座３０は、自動ラップ仕様と共通の部材である。これら共通の部材については説明を省略する。
【００６９】
＜バケツ１１０＞
バケツ１１０は、使用者の排泄物を受ける容器であり、上部が開口した樹脂製の有底の容器である。バケツ１１０は「汚物受け」や「便受け」とも称される。バケツ１１０は、排泄物を収容するバケツ本体１１２を備えている。バケツ本体１１２は、上方が開放された略円筒状であり、上部に対して下部が縮径された形状を有している。バケツ本体１１２の内周面の上端により開口部１１１が形成されており、開口部１１１からバケツ本体１１２の内部に排泄物が入れられる。バケツ本体１１２の上端部には、外縁全域から外側に突出するフランジ部１１３が形成されている。フランジ部１１３は、バケツ本体１１２の上端部から外側へ向かって延びる水平板部１１３ａと、水平板部１１３ａの外周部から下方へ延びる折り返し部１１３ｂと、を有している（図１８参照）。折り返し部１１３ｂには、傾倒可能な取っ手１１４が取り付けられている。取っ手１１４は、トイレ使用時には後方に倒され、バケツ１１０の後方へ配置される。バケツ１１０の上端部には、開口部１１１を覆う蓋１１５が上方から装着される（図１４参照）。
【００７０】
＜スペーサ１２０＞
スペーサ１２０は、樹脂製の板状部材である。スペーサ１２０は、ポータブルトイレ１０をバケツ仕様とする場合に、受け板３１に取り付けられて使用される。受け板３１にスペーサ１２０が設置された状態では、スペーサ１２０がバケツ１１０を支持して、便座３０に対するバケツ１１０の位置を位置決めする。スペーサ１２０は、受け板３１に対して着脱可能に設けられている。なお、スペーサ１２０に関する以下の説明では、インサイドカバー７０と同様、特に説明がない場合、「前後」、「左右」及び「上下」は、ポータブルトイレ１０に設置された状態のスペーサ１２０の構成をいうものとする。
【００７１】
図１５に示すように、スペーサ１２０は、板状かつ環状に形成されたベース部１２１を備えている。ベース部１２１は、その板面が上下に向けられており、水平方向に延びる水平面を有している。ベース部１２１には、受け板３１の開口部３３の内縁部に沿うようにして、ベース部１２１の内周部から上方へ延びる立ち壁１２３が形成されている。立ち壁１２３は、ベース部１２１の内周全域から上方へ突出しており、環状に形成されている。立ち壁１２３の下端（固定端）には、スペーサ１２０を厚み方向（上下方向）に貫通する開口部１２２が形成されている。開口部１２２は、バケツ１１０の外周に対応する略円形状を有し、その開口面積は、受け板３１の開口部３３の開口面積よりも小さく、バケツ１１０の開口部１１１の開口面積よりも大きくなっている。また、開口部１２２の内径は、バケツ１１０の開口部１１１の内径よりも大きく、フランジ部１１３の外径よりも小さくなっている。
【００７２】
ベース部１２１の上面１２１ａには、上面１２１ａから上方へ突出する上側突部１２４が設けられている。上側突部１２４は左右両側に設けられており、スペーサ１２０の中心部よりも後方位置に配設されている。上側突部１２４は前後方向に延びており、その上面に、前部に対して後部が上方に傾斜する傾斜面１２４ａを有している（図１６参照）。
【００７３】
ベース部１２１には、その外周部から下方へ延びる折り返し部１２５が形成されている。折り返し部１２５は、ベース部１２１の外周全域から下方へ突出しており、環状に形成されている。ベース部１２１の下面１２１ｂには、下面１２１ｂから下方へ突出する下側突部１２６が設けられている（図１７参照）。下側突部１２６は突起であり、ベース部１２１において開口部１２２の近傍に複数設けられている。本実施形態では、下面１２１ｂの前後及び左右にそれぞれ１個ずつ、合計４個設けられている。
【００７４】
図１８に示すように、スペーサ１２０は、折り返し部１２５が受け板３１の内側壁３４に引っ掛けられることにより受け板３１に支持されている。スペーサ１２０が受け板３１に支持されている状態では、下側突部１２６が受け板３１の開口部３３よりも内側に配置される。これにより、スペーサ１２０の受け板３１に対する位置が位置決めされるとともに、スペーサ１２０が設置された状態においてスペーサ１２０の位置ずれが抑制される。
【００７５】
スペーサ１２０は、少なくとも後部が、外側壁３５に沿った形状及び大きさを有している。具体的には、スペーサ１２０において後側の右角部１２７は、鉛直面３５ｅに対応する直線状であり、後側の左角部１２８は、湾曲面３５ｆに対応する円弧状となっている。これにより、スペーサ１２０の後部及び外側壁３５の後部は全体として、受け板３１に対してスペーサ１２０を所定位置に配置する位置決め部として機能する。スペーサ１２０は、平面視して左右非対称の形状となっている。このため、スペーサ１２０を表と裏を逆に設置した場合には、スペーサ１２０は受け板３１に対して位置決めされず、表と裏を正しく設置した場合にスペーサ１２０が受け板３１に対して位置決めされる。
【００７６】
＜スペーサ１２０の作用＞
次に、スペーサ１２０の作用について図１８及び図１９を参照しながら説明する。フィルムＦが無くなった場合や停電時などに、ポータブルトイレ１０の便受部として密封装置４０に代えてバケツ１１０を用いることにより、トイレとしての使用が可能になる。ところが、バケツ１１０の外径が受け板３１の開口部３３に対して小さすぎると、受け板３１の内周部にバケツ１１０の外周部を引っ掛けることができない。すなわち、バケツ上端の折り返し部１１３ｂが、受け板３１の内側壁３４に引っ掛かけ可能な位置Ｘ１（すなわち、溝部３６の上方）に位置せず、それよりも内側の位置Ｘ２に位置している。この場合、排泄物を受けることが可能な位置にバケツ１１０を配置できない。
【００７７】
上述したように、バケツ仕様のポータブルトイレ１０においては、受け板３１にスペーサ１２０が取り付けられている。こうしたスペーサ１２０により、内側壁３４よりも内側に立ち壁１２３が新たに設けられ、フランジ部１１３の引っ掛け位置が、受け板３１の開口部３３の縮径方向（図１９中の矢印Ｖの方向）へ調整されている。これにより、受け板３１によってスペーサ１２０が支持されるとともに、スペーサ１２０によってバケツ１１０を支持することができる。よって、便座３０の下方にバケツ１１０が安定して設置され、排泄物をバケツ１１０で受けることが可能である。また、受け板３１の内側壁３４に対しスペーサ１２０の折り返し部１２５を係合させるため、スペーサ１２０の位置ずれを抑制でき、受け板３１によってバケツ１１０を支持している状態が保持される。なお、スペーサ１２０が「位置調整部」に相当し、立ち壁１２３が「係合部」に相当する。
【００７８】
また、トイレ使用時には、バケツ１１０の取っ手１１４が後方に倒される。その際、後方に傾倒させた取っ手１１４は、取っ手１１４の後面が上側突部１２４の傾斜面１２４ａに当接される。これにより、取っ手１１４が溝部３６に入り込まないようにすることができ、取っ手１１４に尿が付着することを抑制することができる。
【００７９】
以上詳述した本実施形態によれば、次の優れた効果が得られる。
【００８０】
前板部２４において、上側板部８１の前面８６及び下側板部８２の前面８７を前方へ凸となる湾曲面とし、その湾曲面が左右方向の中央から左右両側へ向かうにつれて後方に位置するようにするとともに、下側板部８２を上側板部８１よりも奥まった位置に配置し、下側板部８２の前面８７を、後方へ傾斜する傾斜面とした。これにより、使用者が立ち上がる際に足を後方に接地させるためのスペースを左右両側に広く確保することができ、ポータブルトイレ１０に着座した使用者が立ち上がりやすくすることができる。
【００８１】
上側板部８１及び下側板部８２をいずれも湾曲させ、かつ下側板部８２を後方に傾斜させる、といった複雑な構造を一枚の木製板で実現することは難しい。この点、上側板部８１と下側板部８２とを分けて前板部２４を構成したため、こうした複雑な構造を木製でも容易に形成することができる。
【００８２】
下側板部８２の前面８７のうち少なくとも上部が上側板部８１の後面８９よりも前方に位置するように上側板部８１及び下側板部８２を配置した。このため、上側板部８１と下側板部８２との間からトイレ本体２０の内部を視認しにくく、また、前面がなめらかであり、美観上好ましい。
【００８３】
上側板部８１の下面８４のうち下側板部８２の前面８７よりも前方位置に溝部９３を設けたため、上側板部８１の前面８６を伝って流下する尿Ｗを溝部９３の位置で滴下させることができる。これにより、前板部２４を上側板部８１と下側板部８２とで分けて形成した場合にも、上側板部８１の下面奥側に尿が入り込みにくくすることができる。また、上側板部８１と下側板部８２とが上下に重なっており、上側板部８１と下側板部８２との間に狭い隙間８８が形成されていても、その隙間８８に尿が入りにくくすることができる。また、下側板部８２の前面８７よりも前側に溝部９３が形成されているため、溝部９３の拭き掃除がしやすく、清潔な状態を保つことができる。
【００８４】
（他の実施形態）
本発明は上記内容に限定されず、例えば以下のように実施されてもよい。
【００８５】
・上記実施形態では、前板部２４の水切り部として、上側板部８１の下面８４において下側板部８２の前面８７よりも前方に溝部９３を設けたが、水切り部の構成は上記実施形態のものに限定されない。図２０（ａ）〜（ｄ）に、前板部２４の水切り部の変形例を示す。
【００８６】
図２０（ａ）に示す変形例は、水切り部は、上側板部８１の下面８４において下側板部８２の前面８７よりも前方に形成され、かつ左右方向へ延びる垂下り壁部１３１である。垂下り壁部１３１は、下面８４の左右方向の全域に亘って設けられている。図２０（ａ）に示す垂下り壁部１３１は、下面が前後方向に水平に延びている。こうした垂下り壁部１３１を上側板部８１に設けることにより、上側板部８１の前面８６を伝わって流下した尿Ｗは、前面８６の下端から下面８４に回り込んでも、垂下り壁部１３１の壁面の位置で床面に滴下する。これにより、上側板部８１の前面８６を伝って流下した尿Ｗを、上側板部８１と下側板部８２との間に入り込ませることなく床面に滴下させることができる。
【００８７】
図２０（ｂ）に示す前板部２４の水切り部は、上側板部８１の下面８４において少なくとも下側板部８２の前面８７よりも前方において、下部に対し上部が後方へ傾斜する傾斜部１３２である。傾斜部１３２は、下面８４の左右方向の全域に亘って設けられている。この場合、上側板部８１の前面８６を伝わって流下した尿Ｗは、上側板部８１の下端まで至ると、下面８４の傾斜により前面８６の下端から下面８４に回り込むことが抑制される。そして、尿Ｗは、前面８６の下端の位置で床面に滴下する。このため、上側板部８１の前面８６を伝って流下した尿Ｗを、上側板部８１と下側板部８２との間に入り込ませることなく床面に滴下させることができる。水切り部が傾斜部１３２である場合、上側板部８１の下面８４の拭き掃除がしやすく、手入れしやすい。また、上側板部８１の前面８６の下端を下側板部８２の上端に対してできるだけ下方に配置することができ、便受部が外部からより見えにくくすることができる。
【００８８】
図２０（ｃ）に示すように、水切り部として垂下り壁部１３１を設ける構成において、垂下り壁部１３１の下面を、下部に対し上部が後方へ傾斜した傾斜面としてもよい。この場合、前面８６の下端から下面８４に回り込んだ尿Ｗを、垂下り壁部１３１のできるだけ手前側の位置で床面に滴下させることが可能となる。あるいは、垂下り壁部１３１の下面が、前面８６から奥側に向けて、一旦、下方傾斜し、その後、上方傾斜する形状を有していてもよい。この場合、傾斜方向が変化する位置で尿Ｗが床面に滴下させることが可能となる。こうした傾斜方向の変化点は、垂下り壁部１３１を有する場合に限らず、前後方向に延びる下面８４に設けてもよい。この場合、傾斜方向の変化点を下側板部８２の前面８７よりも前方に形成する。
【００８９】
図２０（ｄ）に示す前板部２４の水切り部は、上側板部８１の下面８４において下側板部８２の前面８７から奥側へ凹むように形成され、かつ左右方向へ延びる切欠き部１３３である。切欠き部１３３は、その上面１３３ａが、奥側へ向けた上り傾斜となる傾斜面となっている。この場合、上側板部８１の前面８６を伝わって流下した尿Ｗを切欠き部１３３の位置で床面に滴下させることができる。また、上面１３３ａを上り傾斜面とすることにより、できるだけ手前側で尿Ｗの浸入を抑制することが可能となる。なお、切欠き部１３３の上面１３３ａを水平面としてもよい。
【００９０】
・上記実施形態では、上側板部８１が壁板６８と載置板６９とを備え、載置板６９の上面と壁板６８の下面とが当接するように壁板６８及び載置板６９を配置したが、上側板部８１が載置板６９を有さず壁板６８のみを備えていてもよい。あるいは、上側板部８１が壁板６８と載置板６９とを備え、載置板６９の前面と壁板６８の後面とが当接するように壁板６８及び載置板６９を配置してもよい。この場合、壁板６８の下面によって上側板部８１の下面が構成される。
【００９１】
・上記実施形態では、上側板部８１の下面８４と下側板部８２の上面８５とが上下に重なるように配置したが、下側板部８２の前面８７が上側板部８１の後面８９よりも後方に位置するように上側板部８１及び下側板部８２を配置することにより上側板部８１及び下側板部８２が上下に重ならないようにしてもよい。この場合にも、上側板部８１の前面８６を伝って流下した尿Ｗが、上側板部８１の下面８４の奥側に入り込みにくくすることができ、除去しきれなかった尿の臭いによって快適性が損なわれたり清潔感に欠けてしまったりすることを抑制することができる。
【００９２】
・インサイドカバー７０の構成は上記実施形態のものに限定されない。例えば、インサイドカバー７０は、垂下部７３、切欠き部７９及び立ち壁７６の少なくともいずれかを備えていなくてもよい。また、インサイドカバー７０の外形を左右対称としてもよい。また、ポータブルトイレ１０がインサイドカバー７０を備えていなくてもよい。
【００９３】
・上記実施形態のポータブルトイレ１０は、バケツ仕様として使用される場合にスペーサ１２０を介して受け板３１にバケツ１１０が支持されるようにしたが、受け板３１が直接バケツ１１０を支持可能なポータブルトイレに適用してもよい。
【００９４】
・上記実施形態では、トイレ本体２０や脚体部５７を木製としたが、これらを樹脂製とし、ポータブルトイレが全体として樹脂製として構成されていてもよい。
【００９５】
・トイレ本体２０に設置される受け部として、板状部材である受け板３１に代えて、便受部を収容可能な大きさを有する例えば箱型の容器を用いてもよい。
【００９６】
・受け部に直接的又は間接的に支持される便受部はバケツ１１０に限定されない。例えば、底部に流出口を設けた漏斗状の受け部材としてもよい。
【００９７】
・上記実施形態では、自動ラップ仕様とバケツ仕様とを適宜変更して使用可能なポータブルトイレ１０に適用する場合について説明したが、自動ラップ仕様としてのみ使用可能なポータブルトイレに適用してもよいし、自動ラップ仕様として使用不可能なポータブルトイレ（例えば、バケツ仕様専用のポータブルトイレ等）に適用してもよい。
【符号の説明】
【００９８】
１０…ポータブルトイレ、２０…トイレ本体、２４…前板部、２４ａ…前面、３０…便座、３０ａ…開口部、３１…受け板、３３…開口部、４０…密封装置（便受部）、４１…開口部、４２…ガイド部、５５…座部、５７…脚体部、６３…背もたれ部、６５…肘掛け部、７０…インサイドカバー、７２…開口部、７３…垂下部（入り込み部）、７６…立ち壁、７９…切欠き部、８１…上側板部、８２…下側板部、９３…溝部（水切り部）、１１０…バケツ（便受部）、１１５…蓋、１２０…スペーサ、１３１…垂下り壁部（水切り部）、１３２…傾斜部（水切り部）、１３３…切欠き部（水切り部）、Ｆ…フィルム、Ｗ…尿。
【図１】
2019004935.tif 000003
【図２】
2019004935.tif 000004
【図３】
2019004935.tif 000005
【図４】
2019004935.tif 000006
【図５】
2019004935.tif 000007
【図６】
2019004935.tif 000008
【図７】
2019004935.tif 000009
【図８】
2019004935.tif 000010
【図９】
2019004935.tif 000011
【図１０】
2019004935.tif 000012
【図１１】
2019004935.tif 000013
【図１２】
2019004935.tif 000014
【図１３】
2019004935.tif 000015
【図１４】
2019004935.tif 000016
【図１５】
2019004935.tif 000017
【図１６】
2019004935.tif 000018
【図１７】
2019004935.tif 000019
【図１８】
2019004935.tif 000020
【図１９】
2019004935.tif 000021
【図２０】
2019004935.tif 000022